(57)【要約】【課題】簡単な作業でコイル状線材を保護し得るコイル状線材の梱包材を提供する。【解決手段】コイル状線材の外周面に巻き掛けられる布状基材１２の重なり合う端部１８,２２に、両端部１８,２２を着脱自在に接合する面ファスナー２０,２４を設ける。更に、布状基材１２におけるコイル状線材の端面側に位置する両縁部に沿って、該コイル状線材の端面より外方へ延出する袋状部３２を設けて、紐状部材３４を袋状部３２に挿通する。この紐状部材３４の両端部を布状基材１２に固定すると共に、袋状部３２に開設した開口部３２ａを介して紐状部材３４の中間部分を外部へ挿通させ、この袋状部３２から引き出された紐状部材３４を任意位置で保持可能な留め具３８を設ける。【選択図】図１
2009102041.tif 000002
【特許請求の範囲】
【請求項１】
線材をコイル状に巻いたコイル状線材(50)を保護する梱包材であって、
前記コイル状線材(50)の外周面(52)に巻き掛けられ、巻き掛けた際に端部(18,22)が重なり合う布状基材(12)と、
前記布状基材(12)の重なり合う端部(18,22)に設けられ、両端部(18,22)を着脱自在に接合する面ファスナー(20,24)と、
前記布状基材(12)における前記コイル状線材(50)の端面(54)側に位置する両縁部に沿って設けられて該端面(54)より外方へ延出し、所要位置に開口部(32a)が開設された袋状部(32)と、
前記袋状部(32)に挿通されて両端部が布状基材(12)に固定され、中間部分が前記開口部(32a)を介して袋状部(32)の外部へ延出する紐状部材(34)と、
前記袋状部(32)の開口部(32a)を介して外部に延出する前記紐状部材(34)の中間部分に取り付けられ、該袋状部(32)から引き出された紐状部材(34)を任意位置で保持可能な留め具(38)とを備える
ことを特徴とするコイル状線材の梱包材。
【発明の詳細な説明】
【技術分野】
【０００１】
本発明は、線材をコイル状に巻いたコイル状線材に対する疵等の発生を防止するコイル状線材の梱包材に関するものである。
【背景技術】
【０００２】
圧延工程等を経て製造された線材は、所定のコイル状に巻き取って結束した状態(以下、コイル状線材という)で倉庫に保管され、必要に応じて搬出される。このコイル状線材を保管するに際しては、保管スペースの有効活用等の観点から、コイル状線材の中空部分が左右方向に開口する状態で、多数のコイル状線材を積み重ねるように保管し、搬出時には、搬出装置に設けた棒状のアーム部を、コイル状線材の中空部分に差込んで持ち上げて移動するようになっている。
【０００３】
このようなコイル状線材では、積み重ねたコイル状線材同士の接触や搬出装置の接触等により、コイル状線材の端面や周面等に擦り傷が付き、商品価値の低下を招来する。そこで、コイル状線材を積み重ねる際には、コイル状線材の上面側(すなわち積み重ねたコイル状線材が接触する部分)に麻布等を被せて、コイル状線材同士が直接接触するのを防止すると共に、コイル状線材の端面に厚紙等を貼付して、搬出装置のアーム部が接触した際に傷付くのを防止している。
【発明の開示】
【発明が解決しようとする課題】
【０００４】
しかしながら、コイル状線材に布等を単に被せたり端面に厚紙を貼付しただけでは、コイル状線材の移動等により布等のずれや厚紙の剥がれ等が生じた場合には、コイル状線材の傷付きを防止し得なくなってしまう。また、コイル状線材の周面や端面を別々の部材により保護するため、作業性に劣り、コイル状線材の保護作業に時間を要するものとなっていた。更に、コイル状線材に布等を単に被せたり端面に厚紙を貼付するだけなので、風等により飛散する虞があり、コイル状線材の運搬時には事実上コイル状線材が保護されていないのが現状である。
【０００５】
そこで、本発明は、簡単な作業でコイル状線材を保護し得るコイル状線材の梱包材を提供することを目的とする。
【課題を解決するための手段】
【０００６】
前記課題を克服し、所期の目的を達成するため、本発明に係るコイル状線材の梱包材は、
線材をコイル状に巻いたコイル状線材を保護する梱包材であって、
前記コイル状線材の外周面に巻き掛けられ、巻き掛けた際に端部が重なり合う布状基材と、
前記布状基材の重なり合う端部に設けられ、両端部を着脱自在に接合する面ファスナーと、
前記布状基材における前記コイル状線材の端面側に位置する両縁部に沿って設けられて該端面より外方へ延出し、所要位置に開口部が開設された袋状部と、
前記袋状部に挿通されて両端部が布状基材に固定され、中間部分が前記開口部を介して袋状部の外部へ延出する紐状部材と、
前記袋状部の開口部を介して外部に延出する前記紐状部材の中間部分に取り付けられ、該袋状部から引き出された紐状部材を任意位置で保持可能な留め具とを備えることを要旨とする。
【０００７】
このように、コイル状線材に布状基材を巻き掛けて、重なり合う端部に設けた面ファスナーを接合することでコイル状線材の外周面を保護し得る。更に、コイル状線材の端面より袋状部が外方に延出しているから、該袋状部の開口部から延出する紐状部材の中間部分を引き出すことで袋状部が絞られ、コイル状線材の端面が被覆されて保護される。このとき、袋状部から引き出された紐状部材を留め具で保持できるから、紐状部材が緩むことはなく、コイル状線材の端面を袋状部で確実に保護することができる。
【発明の効果】
【０００８】
本発明に係るコイル状線材の梱包材よれば、布状基材をコイル状線材に巻き掛けると共に、紐状部材を袋状部から引き出すだけで、コイル状線材の外周面や端面を簡単に保護し得る。
【発明を実施するための最良の形態】
【０００９】
次に、本発明に係るコイル状線材の梱包材につき、好適な実施例を挙げて、添付図面を参照しながら以下説明する。
【実施例】
【００１０】
図２は、実施例に係る梱包材１０により梱包されるコイル状線材５０を示す斜視図であって、所定の圧延工程を経て製造された線材を巻き取ってコイル状に束ね、結束具により結束した状態を示している。このコイル状線材５０の中空部分に、図示しない搬送装置のアーム部を挿入してコイル状線材５０を持ち上げることで、コイル状線材５０に梱包材１０を巻き掛け得るようになっている。なお、コイル状線材５０の所定位置(上部)には、線材に関する情報(鋼種や線材の径等)を記載した識別標識５６が取り付けられている。
【００１１】
そして、このコイル状線材５０を保護する実施例に係る梱包材１０は、図１に示すように、前記コイル状線材５０の外周面５２に巻き掛け可能な帯状に形成された不織布や麻等からなる布状基材１２をベースにして形成される。前記梱包材１０は、前記コイル状線材５０の外周面５２を覆う外周面保護部１４と、該外周面保護部１４の両縁部に設けられてコイル状線材５０の両端面５４,５４を保護する端面保護部１６,１６とから構成されている。ここで、前記布状基材１２の外周面保護部１４は、一辺がコイル状線材５０の外周囲の長さ寸法より長くなるよう設定されると共に、他辺がコイル状線材５０の軸方向の長さ寸法以上となるよう設定されており、布状基材１２をコイル状線材５０に巻き掛けた際に、端縁部が重なり合う状態でコイル状線材５０の外周面５２全体を布状基材１２の外周面保護部１４で被覆するよう構成される。
【００１２】
そして、前記布状基材１２において、コイル状線材５０への巻き掛け時に重なり合う一方の端部１８(以下第１重合端部という)の表面に、該重合端部１８の全長に亘って第１の面ファスナー２０が取り付けられ、重なり合う他方の端部２２(以下第２重合端部という)の裏面に、該第１の面ファスナー２０と対になる第２の面ファスナー２４が取り付けられており、該第１の面ファスナー２０と第２の面ファスナー２４とを重ね合わせることで、両重合端部１８,２２が着脱可能に接合されるようになっている。ここで、前記第２の面ファスナー２４は、第２重合端部２２の幅方向に離間する複数箇所(実施例では３箇所)に、前記第１重合端部１８へ向けて所定長さで延在するよう設けられており、コイル状線材５０の外周囲寸法の変更に対応し得るようになっている。なお、実施例に係る梱包材１０では、前記布状基材１２における外周面保護部１４と端面保護部１６とに夫々対応して第２の面ファスナー２４が設けられており、コイル状線材５０の梱包時に、布状基材１２の捲れを防止するようになっている。
【００１３】
また、前記布状基材１２には、前記コイル状線材５０に取り付けられた識別標識５６に対応する位置に窓部２６が開設されており、該コイル状線材５０を梱包材１０で被覆した状態でも、コイル状線材５０に関する情報を外部から判別し得るよう構成されている。また、前記布状基材１２(外周面保護部１４)における前記窓部２６に対応する位置には、コイル状線材５０の軸方向に延在する基準線２８が描かれると共に、該基準線２８を上方に位置させてコイル状線材５０を積み重ねた際に、該布状基材１２(外周面保護部１４)において上側のコイル状線材５０(梱包材１０)が接触する部位には、補強布３０が取り付けられている。すなわち、積み重ねられたコイル状線材５０の間には、２枚の布状基材１２と１枚の補強布３０が存在する３重構造となっており、積み重ねたコイル状線材５０との擦れ合い等に起因して布状基材１２自体が損傷しないようになっている(図４参照)。
【００１４】
前記布状基材１２におけるコイル状線材５０の端面５４側に位置する両縁部は、外縁部の全長に亘って折返されて中空の袋状を呈する袋状部３２が形成され、該袋状部３２が前記端面保護部１６として機能するようになっている。この袋状部３２は、前記第１および第２重合端部１８,２２側で封止されると共に、該袋状部３２の長手方向略中間位置に、外部に開口する開口部３２ａが開設されている。また、前記袋状部３２には、該袋状部３２の長手方向の長さ寸法より長尺な紐状部材３４が挿通されて、前記開口部３２ａを介して紐状部材３４の中間部分が袋状部３２の外部に引き出されると共に、当該袋状部３２の封止位置において紐状部材３４の両端部が布状基材１２に固定されている。ここで、紐状部材３４としては、変形自在な長細い部材を云い、布や皮革、繊維や針金などをよりあわせたものをも含む概念である。
【００１５】
前記袋状部３２の開口部３２ａから引き出された紐状部材３４には、袋状部３２から引き出された紐状部材３４を任意位置で保持可能で、袋状部３２に挿通された紐状部材３４の長さを調節可能な留め具３８が取り付けられている。具体的には、前記留め具３８は、図３に示すように、合成樹脂等から形成されたブロック状部材に２つの挿通孔４０,４０が形成されて、該２つの挿通孔４０,４０に対して前記紐状部材３４が環状に挿通されており、この紐状部材３４における環状部３６を大きくすることで袋状部３２内に挿通された紐状部材３４の長さが短くなり、反対に環状部３６を小さくすることで袋状部３２内に挿通された紐状部材３４の長さが長くなるよう構成されている。ここで、前記留め具３８は、前記挿通孔４０,４０に挿通した紐状部材３４との摩擦により留め具３８と紐状部材３４の位置関係を一定に保持し得るようになっている。
【００１６】
〔実施例の作用〕
次に、前述のように構成した実施例に係るコイル状線材５０の梱包材１０の作用につき説明する。コイル状に巻き取られたコイル状線材５０を搬出装置のアーム部に吊下げた状態で、基準線２８が上方へ向く姿勢で該コイル状線材５０の外周面５２に梱包材１０を巻き付ける。このとき、梱包材１０において重なり合う第１および第２重合端部１８,２２を重ね合わせるだけで、第１の面ファスナー２０と第２の面ファスナー２４とが着脱可能に接合するから、コイル状線材５０に対して梱包材１０を容易に被着することができる。梱包材１０を巻き付けた後には、前記コイル状線材５０の端面５４から外方に延出する両袋状部３２,３２の夫々に挿通した紐状部材３４の環状部３６を、前記留め具３８を保持した状態で引くことで、該袋状部３２が絞られてコイル状線材５０の端面５４が覆われる。
【００１７】
このように、実施例に係る梱包材１０は、前記コイル状線材５０の外周面５２に巻き掛けて紐状部材３４を引くだけで、該コイル状線材５０の外周面５２および端面５４の全面を簡単に被覆することができる。また、梱包材１０によりコイル状線材５０を包むように覆うことで、コイル状線材５０を移動した際に梱包材１０がコイル状線材５０から脱落することはなく、確実に保護することができる。また、袋状部３２から引き出された紐状部材３４は留め具３８で保持されるから、コイル状線材５０の保管や運搬時に紐状部材３４が緩むことはなく、コイル状線材５０の端面５４が袋状部３２で確実に保護される。
【００１８】
また、コイル状線材５０を積み重ねた状態では、上側のコイル状線材５０が梱包材１０(布状基材１２)に設けた補強布３０に接触するよう構成したことで、コイル状線材５０の重量等によって布状基材１２が損傷するのを防止して、コイル状線材５０を常に確実に保護することができる。更に、梱包材１０の布状基材１２に開設した窓部２６を介してコイル状線材５０の識別標識５６が外部に露出するから、梱包材１０でコイル状線材５０を被覆した状態であっても外部からコイル状線材５０に関する情報を判別することができ、コイル状線材５０の取り違え等のミスを防止し得る。
【００１９】
また反対に、前記紐状部材３４の環状部３６を小さくするよう留め具３８を操作してコイル状線材５０の端面５４の拘束を解除し、布状基材１２の第１および第２重合端部１８,２２を引き離して第１の面ファスナー２０と第２の面ファスナー２４とを強制的に引きはがすだけで、コイル状線材５０から梱包材１０を取り外すことができる。すなわち、コイル状線材５０から梱包材１０を取り外すに際しても、簡単な作業で行ない得る。更に、梱包材１０は、第１の面ファスナー２０と第２の面ファスナー２４との接合により固定されているだけであるから、コイル状線材５０から取り外した梱包材１０をそのまま別のコイル状線材５０の梱包材１０として用いることができ、廃棄物の低減やコスト削減に寄与し得る利点がある。
【００２０】
〔変更例〕
本発明に係るコイル状線材の梱包材としては、前述した各実施例のものに限られるものではなく、種々の変更が可能である。
(１)  留め具の形状・構成に関しては、実施例のものに限られるものではなく、袋状部から引き出された紐状部材を任意位置で保持可能な構成であればよい。
(２)  実施例では、コイル状線材に巻き掛けた際に、布状基材におけるコイル状線材の上側に位置する部位に補強布を設けるようにしたが、布状基材におけるコイル状線材の下側に位置する部位に補強布を設けるようにしてもよい。
【図面の簡単な説明】
【００２１】
【図１】本発明の実施例に係るコイル状線材の梱包材を展開した状態で示す平面図である。
【図２】実施例に係るコイル状線材を示す斜視図である。
【図３】実施例に係る留め具を示す斜視図である。
【図４】実施例に係る梱包材で保護したコイル状線材を積み重ねた状態を示す概略図である。
【符号の説明】
【００２２】
１２  布状基材，１８  第１重合端部(重なり合う端部)
２０  第１の面ファスナー(面ファスナー)，２２  第２重合端部(重なり合う端部)
２４  第２の面ファスナー(面ファスナー)，３２  袋状部，３４  紐状部材
３８  留め具，５０  コイル状線材，５２  外周面，５４  端面
【図１】
2009102041.tif 000003
【図２】
2009102041.tif 000004
【図３】
2009102041.tif 000005
【図４】
2009102041.tif 000006